(57)【要約】【課題】配置場所に合致させた合理的で簡便安価な構成による薄片搬送装置ならびにその利用装置を提供する。【解決手段】薄片搬送装置３００は複数の副搬送路Ｓから入れ込まれた薄片１００を合流搬送部分２・主搬送部分４で搬送する。主搬送部分４の搬送を対向ベルト搬送機構４５Ａ・４５Ｂで行うとともに、途中部分５５に屈曲箇所Ｍｂを設けて主搬送部分４Ｘとする。対向ベルト搬送機構４５の対向ベルト部分４２の屈曲内側箇所と、内側復側ベルト４５Ａ１の屈曲内側箇所と、外側復側ベルト４５Ｂ１の屈曲内側復側とを各１つの案内用ローラ４５Ｒ・４５Ｓ・４５Ｔで案内する。屈曲角度θ２１を所定の角度範囲内±θ２２で変化させる可変屈曲機構６０と、任意の角度で屈曲を固定する固定機構７０とを設ける。屈曲角度θ２１を固定角度にした固定機構７０を設けてもよい。利用装置としては、遊技機Ｂの間に副搬送路Ｓを、遊技機Ｂの後側に主搬送路Ｍを設けた遊技島装置５００がある。【選択図】　　　　図３
2004001965.tif 000002
【特許請求の範囲】
【請求項１】
複数の副搬送路から入れ込まれる薄片を主搬送路に合流させて搬送する合流搬送部分と、前記合流搬送部分から入れ込まれる前記薄片を前記主搬送路に沿って搬送する主搬送部分とを設けるとともに、前記主搬送部分に前記主搬送路を屈曲させた屈曲箇所を設ける薄片搬送装置であって、
前記屈曲箇所の主搬送部分における搬送を対向ベルト搬送機構の対向ベルト部分で行わせるとともに、前記対向ベルト部分の屈曲内側箇所と、前記対向ベルト搬送機構の外側復側ベルトの屈曲内側箇所と、前記対向ベルト搬送機構の内側復側ベルトの屈曲内側箇所とを、それぞれ、１つの案内用ローラによって案内する屈曲箇所ベルト案内手段
を具備することを特徴とする薄片搬送装置。
【請求項２】
前記主搬送路の屈曲角度に対する内角を２分割した角度に対応する分割線上に各前記案内用ローラを配置する案内用ローラ配置手段
を具備することを特徴とする請求項１の薄片搬送装置。
【請求項３】
複数の副搬送路から入れ込まれる薄片を主搬送路に合流させて搬送する合流搬送部分と、前記合流搬送部分から入れ込まれる前記薄片を前記主搬送路に沿って搬送する主搬送部分とを設けるとともに、前記主搬送部分に前記主搬送路を屈曲させた屈曲箇所を設ける薄片搬送装置であって、
前記屈曲箇所の前記主搬送部分における搬送を対向ベルト搬送機構の対向ベルト部分で行わせるとともに、前記対向ベルト部分の屈曲内側箇所と、前記対向ベルト搬送機構の外側復側ベルトの屈曲内側箇所と、前記対向ベルト搬送機構の内側復側ベルトの屈曲内側箇所とを、それぞれ、１つの案内用ローラによって案内する屈曲箇所ベルト案内手段と、
前記屈曲を所定の角度範囲内で任意の屈曲角度に変化させるための可変屈曲機構を配置するとともに、前記任意の屈曲角度において前記屈曲を固定させるための固定機構を前記屈曲箇所に配置する屈曲固定手段と
を具備することを特徴とする薄片搬送装置。
【請求項４】
前記屈曲箇所で前記主搬送部分の枠体を上流側枠体と下流側枠体とに分割するとともに、前記上流側枠体の端部と前記下流側枠体の端部との間に前記屈曲のための支点を設けて、前記上流側枠体と前記下流側枠体とを連結する屈曲連結手段と、
前記主搬送路の前記角度範囲内の所定の屈曲角度に対する内角を２分割した角度に対応する分割線上に各前記案内用ローラを配置する案内用ローラ配置手段と
を具備することを特徴とする請求項３記載の薄片搬送装置。
【請求項５】
前記上流側枠体の下流側位置に設けられて前記薄片の上下の両面を案内する１対の案内片（以下、上流側案内片という）と、前記下流側枠体の上流側位置に設けられて前記薄片の前記屈曲による内側面のみを案内する案内片（以下、下流側内側案内片という）とを配置する案内片配置手段と、
前記下流側内側案内片と対向して配置されて前記上流側案内片の下流側端部から下流側における前記薄片の前記屈曲による外側面のみを案内するとともに、前記屈曲に従って屈曲する弾性材の案内片を配置する屈曲案内片配置手段と
を具備することを特徴とする請求項３または請求項４記載の薄片搬送装置。
【請求項６】
請求項１から請求項５のいずれかに記載の薄片搬送装置を具備することを特徴とする遊技島装置。
【発明の詳細な説明】
【０００１】
【発明の属する技術分野】
この発明は、複数の入口から入れ込まれた紙幣のような薄片を所定の経路方向に搬送する薄片搬送装置ならびに、その利用装置、例えば、複数台の遊技機とその遊技媒体の貸付対価として入れ込まれた紙幣などを搬送する薄片搬送装置を設けた遊技島装置などに関するものである。
【０００２】
【従来の技術】
パチンコ遊技機、スロットマシン遊技機、パチンコ遊技機にスロットマシン機能を設けたパチンコ・スロット遊技機などの遊技機Ｂを、図１７のように、複数台配置して、１つのブロック状に構成したものを遊技島装置５００といい、この遊技島装置５００は、パチンコ店、スロットマシン店などの遊技店の内部において、あたかも複数の「島」を配置したように見えるので、通称を「島」とも呼ばれている。
【０００３】
なお、以下の図において、同一符号で示す部分は、いずれかの図において説明する同一符号の部分と同一の機能をもつ部分である。また、図中のごく太い線の部分は、その部分の端面または断面を略して画いた部分である。
【０００４】
さらに、以下の記載において、上流側と下流側とは、薄片１００の搬送の流れにおける上流側と下流側とをいうものである。また、前側・後側・内側・外側など位置または方向を示す記載は、図の構成上における配置をいうものであって、遊技店内における実際の配置をいうものではない。
【０００５】
そして、図１７の遊技島装置５００の構成（以下、第１従来技術という）ように、遊技用媒体（図示せず）、すなわち、遊技用の球体やメダルなどの貸付対価として入れ込まれた紙幣、伝票、カード類などの薄片１００を搬送するための紙幣搬送装置３００を遊技島装置５００に組み付けた構成が周知である。
【０００６】
図１７において、遊技島装置５００には、複数台の遊技機Ｂを前列側と後列側とに分けて配置するとともに、遊技機Ｂ間の所要箇所から入れ込まれた薄片１００を搬送するための副搬送部分Ｃを配置してある。
【０００７】
遊技島装置５００の場合、副搬送部分Ｃは、一般に、遊技機Ｂでの遊技に用いる遊技用媒体（図示せず）を貸付けるための貸付機（Ｃ）で構成してあり、この貸付機（Ｃ）は、入れ込まれた薄片１００、例えば、紙幣を判別、例えば、薄片１００が正規のものか否かの判別、入れ込まれた数量の判別などを行って、所定量の遊技用媒体を貸付けるためのものである。
【０００８】
薄片搬送装置３００は、副搬送部分Ｃに入れ込まれた薄片１００、例えば、紙幣を副搬送部分Ｃ内の副搬送路Ｓから合流搬送部分２に入れ込み、主搬送路Ｍに合流させて搬送することにより、薄片１００を主搬送路Ｍの終端に配置した収納部分１１０に収納している。なお、副搬送部分Ｃを構成する貸付機（Ｃ）は主として遊技機Ｂの間に配置されるため台間機とも呼ばれている。
【０００９】
そして、遊戯機Ｂの大きさＬ２の異なりに対する対応や、現場での薄片搬送装置３００の組み付けの容易化などのために、図１７〜図２２のように、主搬送路Ｍと副搬送路Ｓの合流箇所をブロック状にユニット化して構成した合流搬送部分２とし、各合流搬送部分２の間に配置される主搬送路Ｍの箇所をブロック状にユニット化して構成した主搬送部分４とに分けて配置することにより、主搬送部分４の長さＬ３のみを変更するだけで、各副搬送路Ｓの間の距離Ｌ１の変化に対応し得るようにした構成が周知である。
【００１０】
さらに、具体的な細部の構成は、例えば、図１９のように、主搬送部分４における搬送構成を、対向して配置した同一速度で送行する２つの無端状のベルト４５Ａ・４５Ｂの間、すなわち、対向ベルト部分４２の間に、薄片１００を挟み込んで搬送する機構（この発明において、対向ベルト搬送機構という）４５によって構成し、また、副搬送部分Ｃにおける搬送構成も同様の対向搬送ベルト機構Ｃ３によって構成してある。
【００１１】
主搬送部分４における対向ベルト搬送機構４５に対する駆動構成は、図２０のような歯車機構によって駆動されており、合流搬送部分２の底部側の保持板２ｚに配置した駆動モータ２６により歯車機構２６ａを介して回転させられる仲介歯車２９・２９Ａ〜２９Ｄと連動する２つの歯車４６ａ・４６ｂの軸に設けた各駆動側プーリ４３Ａ・４３Ｂによってベルト４５Ａ・４５Ｂを駆動している。
【００１２】
そして、ベルト４５Ａ・４５Ｂにより従動させられる従動側プーリ４４Ａ・４４Ｂを下流側の合流搬送部分２に近接した端部の位置に配置することにより、次順の合流搬送部分４に入れ込むようにしてある。
【００１３】
また、各対向ベルト搬送機構４５の対向するベルト、例えば、ベルト４５Ａ・４５Ｂの対向部分、すなわち、対向ベルト部分４２は、薄片１００が入り込む程度のごく僅かの隙間を設けるか、または、殆ど接触する状態になっている。なお、この発明において、対向ベルト部分４２のように、搬送方向に向かって送行する側のベルトを往側ベルトといい、搬送方向と反対方向に送行する側のベルト、例えば、ベルト４５Ａ１・４５Ｂ１の部分を復側ベルトという。
【００１４】
主搬送部分４の対向ベルト搬送機構４５は、上流側の合流搬送部分２から送り込まれる薄片１００を取り込む側の端部に設けた案内片５９Ａと、搬送した薄片１００を次順の合流搬送部分２に送り込む側の端部に設けた案内片５９Ｂとの部分を残して、適宜の保護覆４Ａで囲んである。
【００１５】
主搬送部分４は、図１７〜図２２のように、合流搬送部分２に対して着脱できるようにしてあり、装着の際には、主搬送部分４に設けた案内片５９Ｂを合流搬送部分２の案内片２Ｂの部分に入れ込ませて、主搬送部分４の両端の底面側を合流搬送部分２から張り出した受止具２ａ・２ｂで保持するとともに、主搬送部分４の上面側から張り出した掛止具４７Ａの穴４７に、合流搬送部分２の上面側に設けた突起３０を入れ込んで保持させている。
【００１６】
副搬送部分Ｃから入れ込まれた薄片１００に対する合流搬送部分２での搬送構成は、薄片１００を、対向して配置したローラ（この発明において、対向ローラという）８１で取り込み、案内片２３とローラ２５Ａとで搬送して、下流側の主搬送部分４に設けた案内片５９Ａで案内して主搬送部分４に入れ込んでいる。この搬送構成は反対側の副搬送部分Ｃに対しても同様に対象形に配置してある。
【００１７】
案内導管８は、遊技機Ｂの大きさや遊技島装置５００の配置の都合で遊技島装置５００の幅Ｗが変化するので、案内導管８の長さを変えるだけで、幅Ｗに対応させ得るようにしたものである。
【００１８】
上流側の主搬送部分４から送り込まれた薄片１００に対する合流搬送部分２での搬送構成は、案内片２Ｂと対向ローラ２４とで搬送して下流側の主搬送部分４に入れ込むようにしている。
【００１９】
合流搬送部分２の上面側に設けた手動用つまみ２７Ｃは、歯車２９Ｄと歯車４６ｂとの噛み合わせ位置を調整する場合、合流搬送部分２の内部に薄片１００、例えば、紙幣が何らかの理由で停滞して詰まったときに、それを取り出す操作を行う場合などに、歯車機構全体を手動で回転させるためのものである。また、上方の歯車４６ａ・４６ｂの部分には保護覆９８を設けて、歯車の噛合部分に異物が入らないようにしている。
【００２０】
主搬送部分４の具体的な構成は、図２２・図２３のように、上下のフレーム４１に固定板５１を、例えば、ねじ５１Ａで固定するなどにより、上下のフレーム４１の間隔を保持するように構成したものを枠体５０として、この枠体５０に所要の構成部分を取り付けたものである。フレーム４１は、例えば、アルミニウムなど金属材、固定板５１は、例えば、鋼板などの金属材で形成してある。
【００２１】
上下のフレーム４１の間には、対向ベルト搬送機構４５のベルト４５Ａ・４５Ｂ、プーリ４３Ａ・４３Ｂ・４４Ａ・４４Ｂのほか、薄片１００の通過を検出するための検出器９９、例えば、赤外光の反射によるセンサと、対向ベルト部分４２の途中部分で隙間が生じないように押えるためのローラ４３Ｃと、このローラ４３Ｃの部分での薄片１００を案内する案内片５８と、これらの中間部分での薄片１００を案内する案内片５２が設けてある。
【００２２】
両側の保護覆４Ａの部分は、例えば、図２３の〔ロ−ロ断面〕のように、合成樹脂材で形成した覆用部材４８を下端側を支点として開閉可能に構成することにより、内部の対向ベルト搬送機構４５の部分を露呈し得るようにして、薄片１００が何らかの理由で、対向ベルト部分４２で停滞状態になった場合に、薄片１００の取出操作を行えるように構成してある。
【００２３】
また、中間部分の案内片５２に代えて、図２３の〔案内・保護覆兼用型構成〕にように、覆用部材４８に内側に突き出した凸状部分４８Ａを設けておき、両側の凸状部分４８Ａの間で薄片１００を案内するように構成する場合もある。
【００２４】
ローラ４３Ｃは、必要に応じて、図２４の〔蛇行搬送型構成〕のように、プーリ４３Ａ・４４Ａを結ぶ線よりも前側または後側に配置して、対向ベルト部分４２を１つまたは複数の「へ字形」に曲折するように、１つまたは複数のローラ４３Ｃを配置している。
【００２５】
また、対向ベルト搬送機構４５の部分を、必要に応じて、図２４の〔食込搬送型構成〕のように、プーリ４３Ａ・４３Ｂの対向位置と、プーリ４４Ａ・４４Ｂの対向位置とを、例えば、プーリ４３Ａ・４４Ａの半径程度だけ、ずらせるとともに、プーリ４３Ａ・４３Ｂの対向間隔と、プーリ４４Ａ・４４Ｂの対向間隔とを、例えば、ベルト４５Ａ・４５Ｂの厚さ程度だけ狭くすることにより、薄片１００を局部的に蛇行２５１・２５２させて搬送能力を向上させるように構成している。
【００２６】
なお、蛇行搬送の途中箇所に設けるローラ４３Ｃに代えて、図２４の〔蛇行搬送型構成〕の対向ローラ４３Ｄのように、蛇行搬送の途中箇所にも対向プーリ４３Ａ・４３Ｂと同様に、対向ベルト部分４２を両側から押えて、薄片１００の搬送能力を向上させるようにした構成も周知である。
【００２７】
上記の図１７の第１従来技術の構成では、遊技機Ｂ・副搬送部分Ｃを前側と後側とに配置した構成（以下、両側島という）にしてあるが、これを遊技機Ｂ・副搬送部分Ｃを前側のみ、または、後側のみに配置した構成（以下、片側島という）した遊技島装置５００（以下、第２従来技術という）が周知である。
【００２８】
また、図１７の第１従来技術の両側島と上記の第２従来技術の片側島の構成では、各遊技機Ｂの前面を直線状に並べ、直線状の主搬送路Ｍをもつ薄片搬送装置３００を配置しているが、配置場所、例えば、遊技店内の形態と対応させるために、これらの直線状の形態を折れ線状に変更して配置した主搬送路Ｍ、例えば、水平面内において、Ｌ字形・Ｚ字形・Ｃ字形・コ字形などに形態づけた両側島の構成（以下、第３従来技術という）と、同様に形態づけた片側島の構成（以下、第４従来技術という）とが周知である。
【００２９】
そして、主搬送路Ｍをこうした折れ線に形態づけるための構成として、主搬送部分部分に、図２５のような可変屈曲機構６０と固定機構７０とを設けた構成（以下、第５従来技術という）が、本願出願人による特願２０００−３６７１４６号により、開示されている。
【００３０】
図２５において、主搬送部分４Ｘは、主搬送路部分４の途中箇所５５に可変屈曲機構６０を設けたものであり、固定機構７０は可変屈曲機構６０の屈曲可能角度範囲θ１の任意の屈曲角度θ２の箇所で固定させるためのものである。
【００３１】
そして、主搬送部分４Ｘの枠体５０を、上流側枠体５０Ａと下流側枠体５０Ｂとに分割するとともに、上流側枠体５０Ａの端部と下流側枠体５０Ｂの端部との間に屈曲のための支点６１を設けて、上流側枠体５０Ａと下流側枠体５０Ｂとを連結してある。
【００３２】
可変屈曲機構６０の上流側には、対向ベルト部分４２を挟んで両側に対向する１対の対向ローラ４５Ｊ・４５Ｋを配置し、屈曲箇所Ｍｂの支点６１の下流側にも対向ベルト部分４２を挟んで両側に１対の対向ローラ４５Ｌ・４５Ｍを配置してある。
【００３３】
また、可変屈曲機構６０の上流側の対向ローラ４５Ｊ・４５Ｋと下流側の対向ローラ４５Ｌ・４５Ｍのとの間には、対向ベルト搬送機構４５の屈曲の内角側に配置された復側ベルト４５Ａ１の外側面を案内する上流側案内ローラ４５Ｐを設けるとともに、下流側の対向ローラ４５Ｌ・４５の下流側にも、復側ベルト４５Ａ１の外側面を案内する下流側案内ローラ４５Ｑを設けてある。
【００３４】
【発明が解決しようとする課題】
上記の第５従来技術による構成では、可変屈曲機構部分６０の復側ベルト４５Ａ１の外面側を案内するために上流側案内ローラ４５Ｐと下流側案内ローラ４５Ｑとの２つの案内ローラを設けているため、これらの案内ローラ４５Ｐ・４５Ｑを設ける構成が複雑になるほか、対向ローラ４５Ｌ・４５Ｍと、支点６１との配置位置の関係を、屈曲可能角度範囲θ１の任意の屈曲角度θ２に対して、所定の動作を行えるようにする構成部分の構成が複雑になるなど、装置を簡便安価に提供し得ないという不都合がある。
このため、こうした不都合のない薄片搬送装置ならびにその利用装置、例えば、遊技島装置の提供が望まれているという課題がある。
【００３５】
【課題を解決するための手段】
この発明は、上記のような
複数の副搬送路から入れ込まれる薄片を主搬送路に合流させて搬送する合流搬送部分と、上記の合流搬送部分から入れ込まれる上記の薄片を上記の主搬送路に沿って搬送する主搬送部分とを設けるとともに、上記の主搬送部分に上記の主搬送路を屈曲させた屈曲箇所を設ける薄片搬送装置において、
【００３６】
上記の屈曲箇所の上記の主搬送部分における搬送を対向ベルト搬送機構の対向ベルト部分で行わせるとともに、上記の対向ベルト部分の屈曲内側箇所と、上記の対向ベルト搬送機構の外側復側ベルトの屈曲内側箇所と、上記の対向ベルト搬送機構の内側復側ベルトの屈曲内側箇所とを、それぞれ、１つの案内用ローラによって案内する屈曲箇所ベルト案内手段
を設ける第１の構成と、
【００３７】
上記の第１の構成において、
上記の主搬送路の屈曲角度に対する内角を２分割した角度に対応する分割線上に各上記の案内用ローラを配置する案内用ローラ配置手段
を設ける第２の構成と、
【００３８】
上記の第１の構成における薄片搬送装置と同様の薄片搬送装置において、
上記の屈曲箇所の上記の主搬送部分における搬送を対向ベルト搬送機構の対向ベルト部分で行わせるとともに、上記の対向ベルト部分の屈曲内側箇所と、上記の対向ベルト搬送機構の外側復側ベルトの屈曲内側箇所と、上記の対向ベルト搬送機構の内側復側ベルトの屈曲内側箇所とを、それぞれ、１つの案内用ローラによって案内する屈曲箇所ベルト案内手段と、
【００３９】
上記の屈曲を所定の角度範囲内で任意の屈曲角度に変化させるための可変屈曲機構を配置するとともに、上記の任意の屈曲角度において上記の屈曲を固定させるための固定機構を上記の屈曲箇所に配置する屈曲固定手段と
を設ける第３の構成と、
【００４０】
上記の第３の構成において、
上記の屈曲箇所で上記の主搬送部分の枠体を上流側枠体と下流側枠体とに分割するとともに、上記の上流側枠体の端部と上記の下流側枠体の端部との間に上記の屈曲のための支点を設けて、上記の上流側枠体と上記の下流側枠体とを連結する屈曲連結手段と、
上記の主搬送路の上記の角度範囲内の所定の屈曲角度に対する内角を２分割した角度に対応する分割線上に各上記の案内用ローラを配置する案内用ローラ配置手段と
を設ける第４の構成と、
【００４１】
上記の第４の構成において、
上記の上流側枠体の下流側位置に設けられて上記の薄片の上下の両面を案内する１対の案内片、すなわち、上流側案内片と、上記の下流側枠体の上流側位置に設けられて上記の薄片の上記の屈曲による内側面のみを案内する案内片、すなわち、下流側内側案内片とを配置する案内片配置手段と、
【００４２】
上記の下流側内側案内片と対向して配置されて上記の上流側案内片の下流側端部から下流側における上記の薄片の上記の屈曲による外側面のみを案内するとともに、上記の屈曲に従って屈曲する弾性材の案内片を配置する屈曲案内片配置手段と
を設ける第５の構成と、
遊技島装置において、上記の第１構成〜第５の構成を設ける第６の構成とにより上記の課題を解決したものである。
【００４３】
【発明の実施の形態】
この発明の実施の形態として、上記の第１従来技術の構成にこの発明を適用した実施例を説明する。
【００４４】
【実施例】
〔第１実施例〕
以下、図１により第１実施例を説明する。この第１実施例の構成が上記の第１従来技術の構成と異なる箇所は次の箇所である。
【００４５】
第１には、図１の〔屈曲搬送構成〕〔屈曲搬送部分内部構成〕のように、主搬送部分４に代えて、主搬送部分の途中箇所５５に主搬送路Ｍを屈曲させた屈曲箇所Ｍｂを設けた主搬送部分４Ｘを配置するとともに、屈曲箇所Ｍｂの屈曲角度θ１１を所定の屈曲角度、例えば、４５°に設定して構成した箇所である。
【００４６】
第２には、図１の〔屈曲搬送部分内部構成〕のように、主搬送部分４Ｘに設けた対向ベルト搬送機構４５の対向ベルト部分４２が、その屈曲箇所Ｍｂで屈曲した部分の内側の箇所（この発明において、屈曲内側箇所という）に１つの案内用ローラ４５Ｒを設けて対向ベルト部分４２を案内するように構成した箇所である。
【００４７】
第３には、同様にして、屈曲の外側に位置付けられた復側ベルト（この発明において、外側復側ベルトという）４５Ｂ１の屈曲内側箇所にも１つの案内用ローラ４５Ｓを設け、また、屈曲の内側に位置付けられた復側ベルト（この発明において、内側復側ベルトという）４５Ａ１の屈曲内側箇所にも１つの案内用ローラ４５Ｔを設けて、各復ベルト４５Ａ１・４５Ｂ１を案内するように構成した箇所である。
【００４８】
なお、各案内用ローラ４５Ｒ・４５Ｓ・４５Ｔは、各プーリ４３Ａ・４３Ｂ・４４Ａ・４４Ｂと同様に、高さの中間部分の直径を上下両端の直径よりも大きくして、いわゆる中高形状に形成してあり、各ベルト４５Ａ・４５Ｂの走行時に、その高さの中間部分が、常に、各案内用ローラ４５Ｒ・４５Ｓ・４５Ｔの高さの中間部分に引き寄せられるように構成してあることは言うまでもない。
【００４９】
第４には、図１の〔屈曲搬送部分内部構成〕のように、主搬送路Ｍが屈曲している屈曲角度θ１１に対する内角θｘを２分割した角度、すなわち、θｘ／２、例えば、屈曲角度θ１１が４５°の場合には、（１８０°−４５°）÷２＝６７．５°に対応する分割線５７上に各案内用ローラ４５Ｒ・４５Ｓ・４５Ｔを配置して構成した箇所である。
【００５０】
つまり、この第１実施例の構成は、概括的には、第１には、
複数の副搬送路Ｓから入れ込まれる薄片１００、例えば、紙幣を主搬送路Ｍに合流させて搬送する合流搬送部分２と、上記の合流搬送部分２から入れ込まれる上記の薄片１００、例えば、紙幣を上記の主搬送路Ｍに沿って搬送する主搬送部分４とを設けるとともに、上記の主搬送部分４に上記の主搬送路Ｍを屈曲させた屈曲箇所Ｍｂを設ける薄片搬送装置３００において、
【００５１】
上記の屈曲箇所Ｍｂの上記の主搬送部分４Ｘにおける搬送を対向ベルト搬送機構４５の対向ベルト部分４２で行わせるとともに、上記の対向ベルト部分４２の屈曲内側箇所と、上記の対向ベルト搬送機構４５の外側復側ベルト４５Ｂ１の屈曲内側箇所と、上記の対向ベルト搬送機構４５の内側復側ベルト４５Ａ１の屈曲内側箇所とを、それぞれ、１つの案内用ローラ４５Ｒ・４５Ｓ・４５Ｔによって案内する屈曲箇所ベルト案内手段
を設けた上記の第１の構成を構成しているものである。
【００５２】
また、第２には、上記の第１の構成において、
上記の主搬送路Ｍの屈曲角度θ１１に対する内角θｘを２分割した角度に対応する分割線５７上に各上記の案内用ローラ４５Ｒ・４５Ｓ・４５Ｔを配置する案内用ローラ配置手段
を設けた上記の２の構成を構成しているものである。
さらに、第３には、遊技島装置５００において、上記の第１の構成または第２の構成を設けた上記の第６の構成を構成していることになるものである。
【００５３】
そして、具体的には、図１の〔屈曲搬送構成〕のように、主搬送部分４Ｘの枠体５０を上流側枠体５０Ａと下流側枠体５０Ｂとに分割するとともに、屈曲箇所Ｍｂにおける上流側枠体５０Ａの端部の上面と下流側枠体５０Ｂの端部の上面とにまたがった固定用部材５８Ａを設け、さらに、これら両方の下面にまたがった固定用部材５８Ｂを設けて、これらの部分を適宜の固定具、例えば、ねじ止めによって固定することにより、一体の主搬送部分４Ｘとして構成してある。その他の各細部の構成は後記の第３実施例における屈曲角度θ２１を可変するための構造部分を除いた構成と同様に構成してある。
【００５４】
なお、主搬送部分４Ｘの入口側の駆動側プーリ４３Ａ・４３Ｂから屈曲箇所Ｍｂまでの径間Ｌｘ、屈曲箇所Ｍｂから主搬送部分４Ｘの出口側の従動側プーリ４４Ａ・４４Ｂの径間Ｌｙ、または、その両方が比較的長い場合には、その比較的長い径間の箇所に、必要に応じて、例えば、後記の図１０・図１１のように、図２４の〔蛇行搬送型構成〕における蛇行用のローラ４３Ｃや、対向ローラ４３Ｄを設けて構成し、さらには、図示していないが、必要に応じて、例えば、図２４の〔食込搬送型構成〕と同様に、駆動側プーリ４３Ａ・４３Ｂ・従動側プーリ４４Ａ・４４Ｂ・対向ローラ４３Ｄなどを食込搬送型構成にして構成できることは言うまでもない。
【００５５】
また、図１の〔屈曲搬送構成〕における案内導管８を除去した薄片搬送装置３００・遊技島装置５００にも上記の構成を適用して構成し得ることも言うまでもない。
したがって、この第１実施例の構成によれば、案内用ローラ４５Ｒ・４５Ｓ・４５Ｔを配置するだけで、屈曲箇所Ｍｂの搬送部分を構成しているので、装置を簡便安価に提供し得る。
【００５６】
また、直角に曲がった壁部をもつ隅角を配置場所とする場合には、屈曲角度θ１１を４５°にしたものを２つ並べることによって、９０°の屈曲構成にして配置することができ、さらに、屈曲角度θ１１を１３５°にして構成したものなどを適宜に組み合わせて用いることによって、水平面内において、Ｌ字形・Ｚ字形・Ｃ字形・Ｕ字形・Ｖ字形・コ字形・へ字形などの種々の形態に形態づけた薄片搬送装置３００・遊技島装置５００を構成することにより、複雑な配置場合にも適用できる装置を提供し得るなどの特長がある。
【００５７】
〔第２実施例〕
以下、図２により第２実施例を説明する。この第２実施例の構成が上記の第１実施例の構成と異なる箇所は、屈曲角度θ１１を９０°に変更して構成した箇所である。
【００５８】
そして、図２の〔屈曲搬送部分内部構成〕のように、主搬送路Ｍが屈曲している屈曲角度θ１１が９０°になり、それに対する内角θｘを２分割した角度、すなわち、θｘ／２＝（１８０°−９０°）÷２＝４５°に対応する分割線５７上に各案内用ローラ４５Ｒ・４５Ｓ・４５Ｔを配置して構成したものになるだけで、他の箇所は、上記の第１実施例と同様に構成するものである。
【００５９】
つまり、この第２実施例の構成は、概括的には、上記の第１実施例で述べた同様に、上記の第１の構成・第２の構成・第６の構成を構成していることになるものである。
【００６０】
なお、径間Ｌｘ、径間Ｌｙ、または、その両方が比較的長い場合に、その比較的長い径間の箇所に、必要に応じて、例えば、後記の図１０・図１１のように、蛇行用のローラ４３Ｃや、対向ローラ４３Ｄを設けて構成し、さらには、必要に応じて、例えば、図２４の〔食込搬送型構成〕と同様に、駆動側プーリ４３Ａ・４３Ｂ・従動側プーリ４４Ａ・４４Ｂ・対向ローラ４３Ｄなどを食込搬送型構成にして構成できることは言うまでもない。
【００６１】
さらに、図２の〔屈曲搬送構成〕に、図１の〔屈曲搬送構成〕と同様に、案内導管８を付加した薄片搬送装置３００・遊技島装置５００にも上記の構成を適用して構成し得ることも言うまでもない。
したがって、この第２実施例の構成によれば、上記の第１実施例と同様に、案内用ローラ４５Ｒ・４５Ｓ・４５Ｔを配置するだけで、屈曲箇所Ｍｂの搬送部分を構成しているので、装置を簡便安価な構成にして提供し得る。
【００６２】
また、直角に曲がった壁部をもつ隅角を配置場所とする場合には、屈曲角度θ１１を９０°にしたものを１つ配置することによって、９０°のＬ字形の屈曲構成にして配置することができ、さらに、その屈曲構成を適宜に配置することによって、かぎ字形・コ字形などの種々の形態に形態づけた薄片搬送装置３００・遊技島装置５００を構成することにより、複雑な配置場合にも適用できる装置を簡便安価な構成にして提供し得るなどの特長がある。
【００６３】
〔第３実施例〕
以下、図３〜図１１により第３実施例を説明する。この第３実施例の構成が上記の第１実施例の構成と異なる箇所は次の箇所である。なお、図４〜図８において、特に説明していない箇所は、主搬送路Ｍに対して上下・前後の構成が対称になるように構成してある。また、図４は枠体５０を除去して内部の構成を分かり易く記載した図である。
【００６４】
第１には、屈曲箇所Ｍｂにおける屈曲を所定の角度範囲内で任意の屈曲角度に変化、例えば、所定の屈曲角度θ２１に対して調整角度±θ２２の角度範囲内の任意の屈曲角度にするための可変屈曲機構６０を配置するとともに、その任意の屈曲角度において、その屈曲を固定させるための固定機構７０を屈曲箇所Ｍｂに配置した箇所である。なお、屈曲角度θ２１は、例えば、４５°とし、調整角度±θ２２は、例えば、±１０°に設定してある。
【００６５】
第２には、屈曲箇所Ｍｂで主搬送部分４Ｘの枠体５０を上流側枠体５０Ａと下流側枠体５０Ｂとに分割するとともに、上流側枠体５０Ａの端部と下流側枠体５０Ｂの端部との間に屈曲のための支点６１を設けて、上流側枠体５０Ａと下流側枠体５０Ｂとを連結するように構成した箇所である。
【００６６】
第３には、主搬送路Ｍの角度範囲内、すなわち、所定の屈曲角度θ２１に対して調整角度±θ２２の角度範囲内の所定の屈曲角度、例えば、屈曲角度θ２１に対する内角θｘを２分割した角度に対応する分割線５７上に各案内用ローラ４５Ｒ・４５Ｓ・４５Ｔを配置するように構成した箇所である。なお、分割線５７は、例えば、θ／２＝（１８０°−４５°）÷２＝６７．５°に対応する角度線に設定してある。
【００６７】
第４には、上流側枠体５０Ａの下流側位置に設けられて薄片１００、例えば、紙幣の上下の両面を案内片５３Ａ・５３Ｂで案内する１対の案内片で構成した上流側案内片５３を配置した箇所である。
【００６８】
第５には、下流側枠体５０Ｂの上流側位置に設けられて薄片１００、例えば、紙幣の屈曲による内側面のみを案内する案内片５４Ａで構成した下流側内側案内片５４を配置して構成した箇所である。なお、上流側案内片５３・下流側案内片５４は、例えば、合成樹脂材で形成してある。
【００６９】
第６には、下流側内側案内片５４と対向して配置されて上流側案内片５３の下流側端部から下流側における薄片１００、例えば、紙幣の屈曲による外側面のみを案内するとともに、屈曲箇所Ｍｂの屈曲に従って屈曲するように弾性材、例えば、厚さ０．２ｍｍ程度のステンレス鋼板をブルーイング熱処理によって硬化した弾性板材で形成した屈曲案内片６５を配置するように構成した箇所である。
【００７０】
なお、上記の弾性材は、比較的に大きい弾性をもつ透明な合成樹脂材の薄い板状体、例えば、東レ株式会社製の商品名「ルミラン」の厚さ０．２ｍｍ程度の薄板材に変更して形成してもよい。
【００７１】
つまり、この第３実施例の構成は、概括的には、第１には、
上記の第１実施例の構成で述べたと同様の薄片搬送装置３００において、
上記の屈曲箇所Ｍｂの上記の主搬送部分４Ｘにおける搬送を対向ベルト搬送機構４５の対向ベルト部分４２で行わせるとともに、上記の対向ベルト部分４２の屈曲内側箇所と、上記の対向ベルト搬送機構４５の外側復側ベルト４５Ｂ１の屈曲内側箇所と、上記の対向ベルト搬送機構４５の内側復側ベルト４５Ａ１の屈曲内側箇所とを、それぞれ、１つの案内用ローラ４５Ｒ・４５Ｓ・４５Ｔによって案内する屈曲箇所ベルト案内手段と、
【００７２】
上記の屈曲を所定の角度範囲内、例えば、所定の屈曲角度θ２１に対して調整角度±θ２２の角度範囲内の任意の屈曲角度にするための可変屈曲機構６０を配置するとともに、上記の任意の屈曲角度において上記の屈曲を固定させるための固定機構７０を屈曲箇所Ｍｂに配置する屈曲固定手段と
を設けた上記の第３の構成を構成しているものである。
【００７３】
また、第２には、上記の第３の構成において、
上記の屈曲箇所Ｍｂで上記の主搬送部分４Ｘの枠体５０を上流側枠体５０Ａと下流側枠体５０Ｂとに分割するとともに、上記の上流側枠体５０Ａの端部と上記の下流側枠体５０Ｂの端部との間に上記の屈曲のための支点６１を設けて、上記の上流側枠体５０Ａと上記の下流側枠体５０Ｂとを連結する屈曲連結手段と、
【００７４】
上記の主搬送路Ｍの角度範囲内、すなわち、所定の屈曲角度θ２１に対して調整角度±θ２２の角度範囲内の所定の屈曲角度、例えば、屈曲角度θ２１に対する内角θｘを２分割した角度に対応する分割線５７上に各上記の案内用ローラ４５Ｒ・４５Ｓ・４５Ｔを配置する案内用ローラ配置手段と
を設けた上記の第４の構成を構成しているものである。
【００７５】
さらに、第３には、上記の第４の構成において、
上記の上流側枠体５０Ａの下流側位置に設けられて上記の薄片１００の上下の両面を、例えば、案内片５３Ａ・５３Ｂで案内する１対の案内片、すなわち、上流側案内片５３と、上記の下流側枠体５０Ｂの上流側位置に設けられて上記の薄片１００、例えば、紙幣の屈曲による内側面のみを案内する案内片５４Ａ、すなわち、下流側内側案内片５４とを配置する案内片配置手段と、
【００７６】
上記の下流側内側案内片５４と対向して配置されて上記の上流側案内片５３の下流側端部から下流側における薄片１００、例えば、紙幣の上記の屈曲による外側面のみを案内するとともに、上記の屈曲に従って屈曲する弾性材、例えば、厚さ０．３ｍｍ程度のステンレス鋼板をブルーイング熱処理によって硬化した弾性板材で形成した案内片６５を配置する屈曲案内片配置手段と
を設ける第５の構成と、
遊技島装置において、上記の第３構成〜第５の構成を設ける第６の構成とを構成していることになるものである。
【００７７】
そして、具体的には、主搬送部分４Ｘから枠体５０を除いた部分の構成は図２のように構成してあり、図２・図３において、薄片１００は、取込側の案内片５９Ａで案内されながら右端のプーリ４３Ａ・４３Ｂの箇所で取り込まれ、対向ベルト搬送機構４５の対向ベルト部分４２の間に挟まれながら搬送される。
【００７８】
次いで、薄片１００は、対向ベルト部分４２に間に挟まれた状態で、上流側案内片５３と、屈曲案内片６５・下流側案内片５４とで案内されながら対向ベルト部分４２の屈曲内側箇所に配置された案内用ローラ４５Ｒの外側を案内されて通った後に、送出側の案内片５９Ｂに案内されて送出し、次の主搬送路Ｍの部分、例えば、合流搬送路２（図示せず）または収納部分１１０（図示せず）に取り込まれる。
【００７９】
そして、外側復側ベルト４５Ｂ１はその屈曲内側箇所に配置された案内用ローラ４５Ｓの外側を案内されながら復り、また、内側復ベルト４５Ａ１はその屈曲内側箇所に配置された案内用ローラ４５Ｔの外側を案内されながら復る。
【００８０】
ここで、案内用ローラ４５Ｒ・４５Ｓ・４５Ｔの中心と、上流側枠体５０Ａと下流側枠体５０Ｂの屈曲の支点６１とは、分割線５７上に配置されおり、また、案内用ローラ４５Ｒ・４５Ｓの各軸部分は下流側枠体５０Ｂの上下のフレーム４１に設けた軸受４５ｊ・４５ｋによって保持されており、さらに、案内用ローラ４５Ｔの軸部分は下流側枠体５０Ｂに固定して張り出した上下のブラケット４５Ｔ１・４５Ｔ２に設けた軸受４５ｍによって保持されている。
【００８１】
可変屈曲機構６０は、その屈曲箇所Ｍｂに対する上流側・下流側の内部の横断平面の構成が図５、平面の構成が図６、屈曲を展開状態にしたときの正面の構成が図７、要部の縦断面の構成が図８のようになっている。
【００８２】
なお、屈曲角度θ２１の変化によるベルト４５Ａ・４５Ｂの引張状態は、例えば、各ベルト４５Ａ・４５Ｂを同一の無端長にすることにより、屈曲状態において、外側に配置されたベルト４５Ｂの張力が強くなるようにして、対向ベルト部分４２における外側のベルト４５Ｂが内側のベルト４５Ａを押さえ付けるような作用状態にしてある。
【００８３】
上流側案内片５３の部分は、屈曲の外側に位置付けられる案内片５３Ｂを短くし、屈曲の内側に位置付けられる案内片５３Ａを長くして、屈曲案内片６５の屈曲の内側面に沿うように形成することにより、屈曲箇所Ｍｂにおける薄片１００の屈曲に合致させ易くしてある。
【００８４】
屈曲案内片６５は、平面の形状を図９のように形成してあり、上流側の固定部分６５Ａに設けた取付穴６５Ａ１・６５Ａ２によって、上流側案内片５３の基体部分５３Ｃの外側に、ねじ止めして固定するとともに、下流側の固定部分６５Ｂに設けた取付穴６５Ｂ１によって、下流側案内片５４の基体部分５４Ｃの外側に、ねじ止めして固定することにより、屈曲部分６５Ｃが上流側案内片５３の外側の案内片５３Ｂに沿って屈曲するように構成してある。
【００８５】
上流側枠体５０Ａと下流側枠体５０Ｂとの連結部分は、図５〜図７のように、上流側枠体５０Ａのフレーム４１の端面４１Ａ１と、下流側枠体５０Ｂのフレーム４１の端面４１Ｂ１とを屈曲動作を妨げないように隙間を明けて形成してある。
【００８６】
上流側枠体５０Ａの連結部分における上下のフレーム４１の間の保持は、図８の〔ハ−ハ断面〕のように、上下に配置された上流側案内片５３の基体部分５３Ｃとフレーム４１とヒンジ金具７５Ａ・７５Ｂとを取付ねじ７５Ａ１・７５Ｂ１で一体に固定するとともに、固定板５１Ｕ・５１Ｖを固定用ねじ５１ｕ・５１ｖで固定することにより、固定状態にしてある。
【００８７】
そして、固定板５１Ｕの中間部分５１Ｕ１を屈曲の内側に向けてコ字形に張り出した形状にすることによって、屈曲機構６０を屈曲させたときに、内側復ベルト４５Ａ１が、多少、内側にずれ出た場合にも、内側復ベルト４５Ａ１と固定板５１Ｕとが触れ合わないようにしている。
【００８８】
なお、後記のように、屈曲を逆勝手にした場合には、外側復側ベルト４５Ｂ１がずれ出ることになるので、固定板５１Ｖを固定板５１Ｕと同一の部品で構成することにより、固定板５１Ｖの中間部分５１Ｖ１も、その逆勝手にした屈曲の内側に向けてコ字形に張り出した形状にしてある。
【００８９】
下流側枠体５０Ｂの連結部分における上下のフレーム４１の間の保持は、図８の〔ニ−ニ断面〕のように、上下の下流側案内片５４の基体部分５４Ｃが支柱部分５４Ｄによって一体に形成してあるので、上下のフレーム４１を固定用ねじ４１ｘ・４１ｙで固定することにより、固定状態にしてある。
【００９０】
そして、図７のように、上流側枠体５０Ａの上下のフレーム４１に上下のヒンジ金具７５Ａ・７５Ｂの間に、下流側枠体５０Ｂの上下のフレーム４１の端面４１Ｂ１の部分を入れ込んで挟むことにより、上流側枠体５０Ａによって、下流側枠体５０Ｂが上下方向に動かないように保持している。
【００９１】
また、上下のヒンジ金具７５Ａ・７５Ｂを延長させた回転固定板７１・受止板７６から張り出して設けた支点６１用のピン６１Ａ１・６１Ｂ１の先端部分を、下流側枠体５０Ｂの上下のフレーム４１に設けた支点穴６１Ａ２・６１Ｂ２に入れ込んで保持することにより、上流側枠体５０Ａと下流側枠体５０Ｂとが支点６１の箇所で屈曲できるように保持している。
【００９２】
屈曲角度θ２１を調整角度±θ２２の角度範囲内の任意の角度位置で固定するための固定機構７０は、回転固定板７１に設けた長穴７１Ｃと、下流側枠体５０Ｂの上側のフレーム４１に取付ねじ７３Ａで固定した固定用座体７３に設けたねじ穴７３Ｂとを、手動で操作可能な固定用ねじ７２、例えば、蝶ねじで固定するように構成してある。
【００９３】
つまり、固定用ねじ７２を緩めた状態で、屈曲角度θ２１を変化させると、固定用ねじ７２の移動範囲が長穴７１Ｃの長さＬｗによって制限されることによって、調整角度±θ２２の範囲が決められ、その範囲内の所要の角度に変化させた後に、固定用ねじ７２を締め付けることによって、その屈曲角度の状態で固定することができる。なお、支柱７４は固定機構７０の補強と固定用ねじ７２を緩めたときの外れ止めとを兼ねている。
【００９４】
図５・図６・図８のように、上流側枠体５０Ａと下流側枠体５０Ｂとの屈曲の外側から妨害物、例えば、遊技媒体（図示せず）などが入り込むのを防ぐための保護と、屈曲箇所Ｍｂ付近に行き詰まった薄片１００を取り出すための開閉窓板とを兼ねる覆板６６Ｂを、透明で比較的弱い弾力の弾性材、例えば、透明の樹脂材で形成して設けてある。
【００９５】
そして、覆板６６Ｂの下流側を保持用固定板５１Ｘ・５１Ｙに挟み込んで下流側案内片５４の基体部分５４Ｃの外側に固定用ねじ５１ｘ・５１ｙで固定するとともに、その上流側を、固定板５１Ｖの外側に取付ねじ５１ｚで固定した押え板５１Ｚと固定板５１Ｖとの間の隙間５１Ｚ１に入れ込むことにより、覆板６６Ｂが屈曲機構６０の屈曲に追従して屈曲機構６０の外側に沿って変形するように構成してある。
【００９６】
なお、上記の固定板４５Ｕ・４５Ｖ・４５Ｘ・４５Ｙ・押え板５１Ｚは、それぞれ、金属板、例えば、鋼板で構成するとともに、腐食防止用の塗膜を施して構成してある。
【００９７】
ブラケット４５Ｔ１・４５Ｔ２は、下流側案内片５３の基体部分５４Ｃに固定用ねじ４５ｔ１で固定してあり、また、案内用ローラ４５Ｔの部分に、屈曲の内側から妨害物が入り込むのを防ぐための覆板６６Ａを、上記の覆板６６Ｂと同様の材質の板で形成して設けてある。
【００９８】
そして、覆板６６Ａの上流側を固定用ねじ５１ｕで固定板５１Ｕに重ねて固定するとともに、その下流側の中間部分６６Ａ１を覆板６６Ａの弾力でブラケット４５Ｔ１・４５Ｔ２の水平方向の張出部分４５Ｔ３・４５Ｔ４に当て付けることにより、屈曲機構６０の屈曲に追従して張出部分４５Ｔ３・４５Ｔ４に沿って変形できるように構成してある。
【００９９】
また、覆板６６Ａの下流側の上下の部分６６Ａ２は、ブラケット４５Ｔ１・４５Ｔ２の上側の隙間と下側の隙間とを覆うために、ブラケット４５Ｔ１・４５Ｔ２の垂直方向の固定用部分４５Ｔ５・４５Ｔ６とフレーム４１との間の隙間４５ｔ２に入れ込むことにより、屈曲機構６０の屈曲に追従してフレーム４１に沿って変形できるように構成してある。
【０１００】
なお、径間Ｌｘ、径間Ｌｙ、または、その両方が比較的長い場合に、その比較的長い径間の箇所に、必要に応じて、例えば、後記の図１０・図１１のように、蛇行用のローラ４３Ｃや、対向ローラ４３Ｄを設けて構成し、さらには、必要に応じて、例えば、図２４の〔食込搬送型構成〕と同様に、駆動側プーリ４３Ａ・４３Ｂ・従動側プーリ４４Ａ・４４Ｂ・対向ローラ４３Ｄなどを食込搬送型構成にして構成できることは言うまでもない。さらに、図３の〔屈曲搬送構成〕における案内導管８を除去した薄片搬送装置３００・遊技島装置５００にも上記の構成を適用して構成し得ることも言うまでもない。
【０１０１】
したがって、この第３実施例の構成によれば、上記の第１実施例と同様に、案内用ローラ４５Ｒ・４５Ｓ・４５Ｔを配置するだけで、屈曲箇所Ｍｂの搬送部分を構成しているので、装置を簡便安価な構成にして提供し得る。
【０１０２】
また、屈曲角度を所定の屈曲角度θ２１に対して±θ２２の範囲で調整できるため、上記の第１実施例の場合よりも、さらに複雑に屈曲した種々の形態に形態づけた薄片搬送装置３００・遊技島装置５００を構成できるので、さらに複雑な配置場所にも適用できる装置を簡便安価な構成にして提供し得るなどの特長がある。
【０１０３】
〔第４実施例〕
以下、図１２・図１３により第４実施例を説明する。この第４実施例の構成が上記の第３実施例の構成と異なる箇所は、屈曲角度θ２１を、第２実施例の場合と同様に、９０°に変更して構成した箇所である。
【０１０４】
そして、図１２の〔屈曲搬送部分内部構成〕と図１３の構成のように、屈曲角度θ２１が９０°になるので、それに対する内角θｘを２分割した角度、すなわち、θｘ／２＝（１８０°−９０°）÷２＝４５°に対応する分割線５７上に各案内用ローラ４５Ｒ・４５Ｓ・４５Ｔを配置して構成したものになる。なお、調整角度±θ２２は、例えば、第３実施例の場合と同様に、θ２２＝±１０°に設定する。
【０１０５】
また、図示していないが、固定機構７０の部分も、図６の屈曲角度θ２１が９０°になるように変更して構成することや、他の箇所で、屈曲角度θ２１に関連する箇所の構成を同様に変更して構成することは言うまでもない。
【０１０６】
つまり、この第４実施例の構成は、概括的には、上記の第３実施例で述べた上記の第３の構成〜第５の構成・第６の構成における所定の屈曲角度θ２１を９０°に、調整角度±θ２２を±１０°に、内角θｘを９０°に、分割線５７の角度方向を１３５°方向に変更した構成を構成していることになるものである。
【０１０７】
この構成の場合には、所定の屈曲角度θ２２が９０°で、これに対する調整角度±θ２２が±１０°なので、屈曲角度θ２２に対する可変角度の率が、第３実施例の構成の場合よりも小さいので、案内用ローラ４５Ｔを覆う覆板６６Ａの中間部分６６Ａ１に代えて、図１３のように、固定板４５Ｕのコ字形に張出した中間部分５１Ｕ１を延長させて折曲形成した覆板５１Ｕ５を設けるようにしてもよい。なお、第３実施例の構成と同様に覆板６６Ａの中間部分６６Ａ１によって案内用ローラ４５Ｔを覆うように構成してもよいことは言うまでもない。
【０１０８】
そして、径間Ｌｘ、径間Ｌｙ、または、その両方が比較的長い場合に、その比較的長い径間の箇所に、必要に応じて、例えば、上記の図１０・図１１のように、蛇行用のローラ４３Ｃや、対向ローラ４３Ｄを設けて構成し、さらには、必要に応じて、例えば、図２４の〔食込搬送型構成〕と同様に、駆動側プーリ４３Ａ・４３Ｂ・従動側プーリ４４Ａ・４４Ｂ・対向ローラ４３Ｄなどを食込搬送型構成にして構成できることは言うまでもない。さらに、図１２の〔屈曲搬送構成〕に、図３の〔屈曲搬送構成〕と同様に、案内導管８を付加した薄片搬送装置３００・遊技島装置５００にも上記の構成を適用して構成し得ることも言うまでもない。
【０１０９】
したがって、この第４実施例の構成によれば、上記の第２実施例と同様に、案内用ローラ４５Ｒ・４５Ｓ・４５Ｔを配置するだけで、屈曲箇所Ｍｂの搬送部分を構成しているので、装置を簡便安価な構成にして提供し得る。
【０１１０】
また、屈曲角度を所定の屈曲角度θ２１に対して±θ２２の範囲で調整できるため、上記の第２実施例の場合よりも、さらに複雑に屈曲した種々の形態に形態づけた薄片搬送装置３００・遊技島装置５００を構成できるので、さらに複雑な配置場所にも適用できる装置を簡便安価な構成にして提供し得るなどの特長がある。
【０１１１】
〔第５実施例〕
以下、図１４〜図１６により第５実施例を説明する。この第５実施例の構成が上記の第３実施例・第４実施例の構成と異なる箇所は、第３実施例・第４実施例の構成では、屈曲角度の可変角度範囲を所定の屈曲角度θ２１と調整角度±θ２２とによって構成して箇所を、最小の屈曲角度θ３１から最大の屈曲角度θ３２までの角度範囲を可変角度範囲とするように変更して構成した箇所である。
【０１１２】
例えば、図１４の〔小屈曲型構成〕のように、最小の屈曲角度θ３１＝０°から最大の屈曲角度θ３２＝４５°までを可変角度範囲として設定したり、例えば、図１４の〔中屈曲型構成〕のように、最小の屈曲角度θ３１＝４５°から最大の屈曲角度θ３２＝９０°までを可変角度範囲として設定したり、例えば、図１４の〔大屈曲型構成〕のように、最小の屈曲角度θ３１＝９０°から最大の屈曲角度θ３２＝１３５°までを可変角度範囲として設定したりして構成するものである。
【０１１３】
そして、この第５実施例の構成の場合には、各案内用ローラ４５Ｒ・４５Ｓ・４５Ｔ・支点６１を配置する分割線５７の角度方向を、最小の屈曲角度θ３１と最大の屈曲角度θ３２の中間の屈曲角度θ３３に対する内角θｘを２分割した角度方向として設定する構成と、上記の分割線５７の角度方向を、最小の屈曲角度θ３１に対する内角θｘを２分割した角度方向に設定する構成との２つの構成が可能である。
【０１１４】
つまり、前者の構成の場合には、概括的には、上記の第３実施例で述べた上記の第３の構成〜第５の構成・第６の構成における所定の屈曲角度θ２１を上記の中間の屈曲角度θ３３に変更し、内角θｘを屈曲角度θ３３に対する内角θｘに変更し、その変更した内角θｘを２分割した角度方向を分割線５７の角度方向に変更した構成を構成していることになるものである。
【０１１５】
また、後者の構成の場合には、概括的には、上記の第３実施例で述べた上記の第３の構成〜第５の構成・第６の構成における所定の屈曲角度θ２１を上記の最小の屈曲角度θ３１に変更し、内角θｘを屈曲角度θ３１に対する内角θｘに変更し、その変更した内角θｘを２分割した角度方向を分割線５７の角度方向に変更した構成を構成していることになるものである。
【０１１６】
なお、前者の構成の場合には、最小の屈曲角度θ３１または最大の屈曲角度θ３２にした場合に、可変角度範囲の設定如何によっては、図１５のように、対向ベルト４２の位置に対して、内側復側ベルト４５Ａ１の位置と、外側復側ベルトの位置とが、大きく離れる場合があるので、上流側枠体５０Ａと下流側枠体５０Ｂとの水平面内における形状を中膨らみの形状にして内側復側ベルト４５Ａ１と外側復側ベルトとの位置変化に対応できるように構成する必要がある。
【０１１７】
また、後者の構成の場合には、図１６のように、対向ベルト４２の位置に対して、内側復側ベルト４５Ａ１の位置と、外側復側ベルトの位置とが寄り合うように近くなるので、上流側枠体５０Ａと下流側枠体５０Ｂとの水平面内における形状を変更する必要はない。
【０１１８】
そして、その他の部分における各細部の構成は、上記の第３実施例の構成、または、上記の第４実施例の構成における分割線５７の角度方向を上記の各分割線５７の角度方向に変更するとともに、屈曲角度θ２１と調整角度±θ２２とによる可変角度範囲を上記の最小の屈曲角度θ３１から最大の屈曲角度θ３２までを可変角度範囲に変更するように、屈曲機構６０・固定機構７０の対応箇所を変更して構成すればよい。
【０１１９】
さらに、図１４の〔小屈曲型構成〕から案内導管８を除去した薄片搬送装置３００・遊技島装置５００にも上記の構成を適用して構成し、また、図１４の〔中屈曲型構成〕〔大屈曲型構成〕に、図３の〔屈曲搬送構成〕と同様に、案内導管８を付加した薄片搬送装置３００・遊技島装置５００にも上記の構成を適用して構成し得ることも言うまでもない。
【０１２０】
したがって、この第５実施例の構成によれば、上記の第３実施例・第４実施例と同様に、案内用ローラ４５Ｒ・４５Ｓ・４５Ｔを配置するだけで、屈曲箇所Ｍｂの搬送部分を構成しているので、装置を簡便安価な構成にして提供し得る。
【０１２１】
また、屈曲角度を最小の屈曲角度θ３１から最大の屈曲角度θ３２までの可変角度範囲で調整できるため、上記の第３実施例・第４実施例の場合よりも、さらに複雑に屈曲した種々の形態に形態づけた薄片搬送装置３００・遊技島装置５００を構成できるので、さらに複雑な配置場所にも適用できる装置を簡便安価な構成にして提供し得るなどの特長がある。
【０１２２】
〔変形実施〕
この発明は次のように変形して実施することを含むものである。
（１）第１実施例〜第５実施例では、保護覆４８の部分を図２３の〔案内・保護兼用型構成〕にして構成してあるが、この部分を、図２３の〔上下案内片型構成〕における案内片５２・保護覆４８に変更して構成する。
【０１２３】
（２）第１実施例〜第５実施例と上記（１）の構成における各屈曲角度θ１１・θ２１・θ３１・θ３２を、上流側の主搬送路Ｍに対して、逆勝手の方向に屈曲させるように変更して構成する。
【０１２４】
（３）第１実施例〜第５実施例と上記（１）（２）の構成における主搬送部分４Ｘの下流側の合流搬送部分２を、収納部分１１０または主搬送部分４に変更して構成する。
【０１２５】
（４）第１実施例〜第５実施例と上記（１）〜（３）の構成における遊技機Ｂを前側または後側のみに配置した片側島に変更して構成する。
（５）第１実施例〜第５実施例と上記（１）〜（４）の構成におけるフレーム４１の幅を広げて、案内用ローラ４５Ｔの軸受４５ｍをフレーム４１に設けることにより、ブラケット４５Ｔ１・４５Ｔ２を除去して構成する。
【０１２６】
（６）第１実施例〜第５実施例と上記（１）〜（５）の構成において、角度θ１１・θ２１・θ２２・θ３１・θ３２・θ３３の角度値を適宜の角度値に変更して構成する。
【０１２７】
【発明の効果】
この発明によれば、以上のように、屈曲箇所における対向ベルト搬送機構の各ベルト部分の各屈曲内側箇所に各１つの案内用ローラを配置するだけで、屈曲箇所の搬送部分を構成しているので、装置を簡便安価な構成にして提供し得る。
【０１２８】
また、屈曲機構により屈曲角度を種々の可変角度に変化させた箇所で固定機構により固定できるため、複雑に屈曲した種々の形態に形態づけた薄片搬送装置や遊技島装置を構成できるので、複雑な配置場所にも適用できる装置を簡便安価な構成にして提供し得るなどの特長が得られる効果がある。
【図面の簡単な説明】
図面中、図１〜図１６はこの発明の実施例を、また、図１７〜図２５は従来技術を示し、各図の内容は次のとおりである。
【図１】要部構成横断平面図
【図２】要部構成横断平面図
【図３】要部構成横断平面図
【図４】要部構成内部斜視図
【図５】要部構成内部横断平面図
【図６】要部構成平面図
【図７】要部構成正面図
【図８】要部構成縦断面図
【図９】要部部品構成平面図
【図１０】要部構成横断平面図
【図１１】要部構成横断平面図
【図１２】要部構成横断平面図
【図１３】要部構成内部横断平面図
【図１４】要部構成横断平面図
【図１５】要部構成横断平面図
【図１６】要部構成横断平面図
【図１７】全体構成側面横断平面図
【図１８】要部横断平面図
【図１９】要部構成内部横断平面図
【図２０】要部構成内部斜視図
【図２１】要部構成正面図
【図２２】要部構成斜視図
【図２３】要部構成縦断面
【図２４】要部構成横断平面図
【図２５】要部構成横断平面図
【符号の説明】
２　合流搬送部分
２Ｂ　案内片
２ａ・２ｂ　受止具
２ｚ　保持板
４　主搬送部分
４Ａ　保護覆
４Ｘ　主搬送部分
８　案内導管
２３　案内片
２４　対向ローラ
２５Ａ　ローラ
２６　駆動モータ
２６Ａ　歯車機構
２７Ｃ　手動用つまみ
２９〜２９ｄ　仲介歯車
２９Ｄ　歯車
３０　突起
４１　フレーム
４１Ａ１　端面
４１Ｂ１　端面
４１ｕ　取付ねじ
４１ｖ　取付ねじ
４２　対向ベルト部分
４３Ａ・４３Ｂ　駆動側プー
４３Ｃ　ローラ
４３Ｄ　対向ローラ
４４Ａ・４４Ｂ　従動側プーリ
４５　対向ベルト搬送機構
４５Ａ・４５Ｂ　ベルト
４５Ａ１　復側ベルト（内側復側ベルト）
４５Ｂ１　復側ベルト（外側復側ベルト）
４５Ｒ・４５Ｓ・４５Ｔ　案内用ローラ
４５ｊ・４５ｋ・４５ｍ　軸受部分
４５ｔ１　固定用ねじ
４５ｔ２　隙間
４６ａ・４６ｂ　歯車
４７　穴
４７Ａ　掛止具
４８　覆用部材
４８Ａ　凸状部分
５０　枠体
５０Ａ　上流側枠体
５０Ｂ　下流側枠体
５１Ｕ・５１Ｖ・５１Ｘ・５１Ｙ　固定板
５１Ｕ１・５１Ｖ１　膨らみ部分
５１Ｚ　押え板
５１Ｚ１　隙間
５１ｕ・５１ｖ・５１ｘ・５１ｙ・５１ｚ　固定用ねじ
５３　上流側案内片
５３Ａ・５３Ｂ　案内片
５３Ｃ　基体部分
５４　下流側案内片
５４Ａ　案内片
５４Ｃ　基体部分
５４Ｄ　支柱部分
５５　途中箇所
５６　屈曲案内片
５７　分割線
５９Ａ・５９Ｂ　案内片
６０　屈曲機構
６１　支点
６１Ａ１・６１Ｂ１　ピン
６１Ａ２・６１Ｂ２　支点穴
６５　屈曲案内片
６５Ａ・６５Ｂ　固定部分
６５Ａ１・６５Ａ２・６５Ｂ１　取付穴
６５Ｃ　屈曲部分
６６Ａ・６６Ｂ　覆板
７０　固定機構
７１　回転固定板
７１Ｃ　取付穴
７２　固定用ねじ
７３Ａ　取付ねじ
７３Ｂ　ねじ穴
７５Ａ・７５Ｂ　ヒンジ金具
７５Ａ１・７５Ｂ１　取付ねじ
７５Ａ２　張出部分
７６　受止板
８１　対向ローラ
９８　保護覆
９９　検出器
１００　薄片
１１０　収納箱
３００　薄片搬送装置
５００　遊技台島装置
Ｂ　遊技機
Ｃ　副搬送部分
（Ｃ）　貸付機
Ｌ１　距離
Ｌ２　大きさ
Ｌｗ　長さ
Ｌｘ・Ｌｙ　径間
Ｍ　主搬送路
Ｍｂ　屈曲箇所
Ｓ　副搬送路
Ｗ　幅
θ１　屈曲角度
θ２　可変角度範囲
θｘ　内角
【図１】
2004001965.tif 000003
【図２】
2004001965.tif 000004
【図３】
2004001965.tif 000005
【図４】
2004001965.tif 000006
【図５】
2004001965.tif 000007
【図６】
2004001965.tif 000008
【図７】
2004001965.tif 000009
【図８】
2004001965.tif 000010
【図９】
2004001965.tif 000011
【図１０】
2004001965.tif 000012
【図１１】
2004001965.tif 000013
【図１２】
2004001965.tif 000014
【図１３】
2004001965.tif 000015
【図１４】
2004001965.tif 000016
【図１５】
2004001965.tif 000017
【図１６】
2004001965.tif 000018
【図１７】
2004001965.tif 000019
【図１８】
2004001965.tif 000020
【図１９】
2004001965.tif 000021
【図２０】
2004001965.tif 000022
【図２１】
2004001965.tif 000023
【図２２】
2004001965.tif 000024
【図２３】
2004001965.tif 000025
【図２４】
2004001965.tif 000026
【図２５】
2004001965.tif 000027